(57)【要約】【課題】本発明は、表示装置を提供する。【解決手段】表示装置は、背光モジュール、切替型単軸拡散片及び表示パネルを含む。背光モジュールは、射出光を生成し、射出光は、第一タイプのライトを有する。第一タイプのライトは、第一方向上での第一視角範囲内で所定値以上の光強度を有する。背光モジュールが生成した射出光は、順に切替型単軸拡散片及び表示パネルを通過して映像を形成する。切替型単軸拡散片が透明モードに切り替えられた時に、射出光は、切替型単軸拡散片を通過した後に第一タイプのライトを保持し、切替型単軸拡散片が拡散モードに切り替えられた時に、射出光は、切替型単軸拡散片を通過した後に拡散されて第二タイプのライトを生成する。第二タイプのライトは、第一方向上での第二視角範囲内で所定値以上の光強度を有し、且つ第二視角範囲は、第一視角範囲よりも大きい。【選択図】図１
2018109756.tif 000002
【特許請求の範囲】
【請求項１】
表示装置であって、
射出光を生成する背光モジュールであって、前記射出光は、第一タイプのライトを有し、前記第一タイプのライトは、第一方向上での第一視角範囲内で所定値以上の光強度を有する、背光モジュール；
前記背光モジュールに設置され、透明モードと拡散モードとの間で切り替える切替型単軸拡散片であって、前記拡散モードは、前記第一方向上での拡散角度が他の方向上での拡散角度よりも大きい、切替型単軸拡散片；及び
前記切替型単軸拡散片に設置される表示パネルを含み、
前記背光モジュールにより生成された前記射出光は、順に、前記切替型単軸拡散片及び前記表示パネルを通過して映像を形成し、前記切替型単軸拡散片が前記透明モードになる時に、前記射出光は、前記切替型単軸拡散片を通過した後に前記第一タイプのライトを保持し、前記切替型単軸拡散片が前記拡散モードになる時に、前記射出光は、前記切替型単軸拡散片を通過した後に拡散されて第二タイプのライトを生成し、前記第二タイプのライトは、前記第一方向上での第二視角範囲内で前記所定値以上の光強度を有し、前記第二視角範囲は、前記第一視角範囲よりも大きい、表示装置。
【請求項２】
請求項1に記載の表示装置であって、
前記切替型単軸拡散片は、
第一透明型導電層；
第二透明導型電層；及び
前記第一透明型導電層と前記第二透明導型電層との間に位置する高分子分散型液晶層を含み、
前記高分子分散型液晶層は、高分子基材及び複数の液晶微粒子を有し、複数の前記液晶微粒子は、前記高分子基材中に設けられ、各前記液晶微粒子は、楕円体であり且つ長軸を有し、前記長軸は、実質的に前記第一方向に平行であり、
前記第一透明型導電層及び前記第二透明導型電層が電圧差を生成した時に、複数の前記液晶微粒子中での液晶は、規則配列を呈し、これにより、前記高分子分散型液晶層は、前記透明モードになり、前記第一透明型導電層及び前記第二透明導型電層が電圧差を有しない時に、複数の前記液晶微粒子中での液晶は、不規則配列を呈し、これにより、前記高分子分散型液晶層は、前記拡散モードになる、表示装置。
【請求項３】
請求項1に記載の表示装置であって、
半透過型視角フィルターをさらに含み、
前記半透過型視角フィルターは、前記背光モジュール、前記切替型単軸拡散片及び前記表示パネルの光路に設置され、前記半透過型視角フィルターの光透過率は、前記半透過型視角フィルターの法線方向に沿って前記第一方向へ逓減し、第三視角範囲内での光透過率は、所定値よりも大きく、前記第三視角範囲は、前記第一視角範囲よりも大きく且つ前記第二視角範囲よりも小さい、表示装置。
【請求項４】
請求項3に記載の表示装置であって、
前記所定値は、40%〜60%にある、表示装置。
【請求項５】
請求項3に記載の表示装置であって、
前記半透過型視角フィルターは、第一偏光片、第二偏光片及び第一位相補償膜を含み、前記第一位相補償膜は、前記第一偏光片と前記第二偏光片との間に挟まれて設置され、前記第一偏光片は、第一透過軸を有し、前記第二偏光片は、第二透過軸を有し、前記第一透過軸は、前記第二透過軸に平行であり、前記第一位相補償膜は、第一液晶高分子層を有し、前記第一液晶高分子層の液晶高分子は、第一光軸を有し、前記第一光軸の前記第一偏光片及び前記第二偏光上での第一投影の軸方向は、前記第一透過軸及び前記第二透過軸に平行又は垂直であり、前記第一投影の軸方向は、前記第一方向に垂直である、表示装置。
【請求項６】
請求項5に記載の表示装置であって、
前記半透過型視角フィルターは、第二位相補償膜及び第三偏光片をさらに含み、
前記第二位相補償膜は、記第一偏光片と前記第三偏光片との間に位置し、前記第三偏光片は、第三透過軸を有し、前記第二位相補償膜は、第二液晶高分子層を有し、前記第二液晶高分子層の液晶分子は、第二光軸を有し、前記第二光軸は、前記第二位相補償模の表面に垂直であり、前記第三透過軸は、前記第一透過軸及び前記第二透過軸に平行である、表示装置。
【請求項７】
請求項5に記載の表示装置であって、
前記半透過型視角フィルターは、第三位相補償膜及び第四偏光片をさらに含み、
前記第三位相補償膜は、前記第二偏光片と前記第四偏光片との間に位置し、前記第四偏光片は、第四透過軸を有し、前記第三位相補償膜は、第三液晶高分子層を有し、
前記第三液晶高分子層の液晶高分子は、第三光軸を有し、前記第三光軸の前記第二偏光片及び前記第四偏光片上での第三投影の軸方向は、前記第二透過軸及び前記第四透過軸に平行又は垂直であり、前記第四透過軸は、前記第一透過軸及び前記第二透過軸に平行であり、前記第一位相補償膜及び前記第三位相補償膜の位相遅延特性は、異なる、表示装置。
【請求項８】
請求項3に記載の表示装置であって、
前記半透過型視角フィルターは、第五偏光片、第六偏光片、半波長片及び第四位相補償膜を含み、
前記第五偏光片は、第五透過軸を有し、前記第六偏光片は、第六透過軸を有し、前記半波長片及び前記第四位相補償膜は、前記第五偏光片と前記第六偏光片との間に位置し、前記第四位相補償膜は、第四液晶高分子層を有し、前記第四液晶高分子層の液晶高分子は、第四光軸を有し、前記第四光軸は、前記第四位相補償模の表面に垂直であり、前記半波長片のS軸と前記第五透過軸との夾角は、22.5°±15°又は62.5°±15°であり、前記第六透過軸と前記第五透過軸との夾角は、45°±15°又は125°±15°である、表示装置。
【請求項９】
請求項8に記載の表示装置であって、
前記半透過型視角フィルターは、第五位相補償膜をさらに含み、
前記半波長片は、前記第四位相補償膜と前記第五位相補償膜との間に設置され、前記第五位相補償膜は、第五液晶高分子層を有し、前記第五液晶高分子層の液晶高分子は、第五光軸を有し、前記第五光軸は、前記第五位相補償模の表面に垂直である、表示装置。
【請求項１０】
請求項3に記載の表示装置であって、
前記半透過型視角フィルターは、第七偏光片、第八偏光片、第九偏光片、第六位相補償膜及び第七位相補償膜を含み、
前記第七偏光片は、第七透過軸を有し、前記第八偏光片は、第八透過軸を有し、前記第九偏光片は、第九透過軸を有し、前記第六位相補償膜は、前記第七偏光片と前記第八偏光片との間に位置し、前記第七位相補償膜は、前記第八偏光片と前記第九偏光片との間に位置し、前記第六位相補償膜は、第六液晶高分子層を有し、前記第六液晶高分子層の液晶分子は、第六光軸を有し、前記第六光軸は、前記第六位相補償膜の表面に垂直であり、前記第七位相補償膜は、第七液晶高分子層を有し、前記第七液晶高分子層の液晶分子は、第七光軸を有し、前記第七光軸は、前記第七位相補償膜の表面に垂直であり、前記第七透過軸、前記第八透過軸及び前記第九透過軸は、平行であり、前記第六位相補償膜及び前記第七位相補償膜の位相遅延特性は、異なる、表示装置。
【請求項１１】
請求項3に記載の表示装置であって、
前記半透過型視角フィルターは、前記切替型単軸拡散片と前記表示パネルとの間に設置される、表示装置。
【請求項１２】
請求項3に記載の表示装置であって、
前記表示パネルは、前記半透過型視角フィルターと前記切替型単軸拡散片との間に設置される、表示装置。
【請求項１３】
請求項3に記載の表示装置であって、
前記半透過型視角フィルターは、複数の仕切り壁を含み、
複数の前記仕切り壁は、前記第一方向に沿って配列され、複数の前記仕切り壁のうちの２つの隣接する仕切り壁の間は、所定の間隔を有して光通路を形成する、表示装置。
【請求項１４】
請求項13に記載の表示装置であって、
複数の前記仕切り壁は、グレーレジスト、染料又は顔料を含み、複数の前記仕切り壁の透光率は、10%〜60%にある、表示装置。
【発明の詳細な説明】
【技術分野】
【０００１】
本発明は、表示装置に関し、特に、表示視角（view  angle）を切り替えることができる表示装置に関する。
【背景技術】
【０００２】
従来の携帯型表示装置、例えば、移動電話又はタブレットに配置される表示器は、屋外使用時に、外部の光線が強いので、表示器の輝度が相対的に不足しており、表示器の映像対比（コントラスト）が低くなる。そのため、使用者は、往々して、映像をはっきり見ることができない。従来の解決案は、より多くの光源を有する背光モジュールを用いること、又は、より高い電流を以て背光モジュールの光源を駆動することである。しかしながら、より多くの光源を用いれば、製造コストが上昇し、且つより多くの電力を消費する必要がある。また、より高い電流を以て光源を駆動すれば、光源の寿命を短縮すると同時に、より多くの電力を消費することもある。
【０００３】
なお、この「背景技術」の部分が、本発明の内容への理解を助けるためだけのものであるため、この「背景技術」の部分に開示されている内容は、当業者に知られていない技術を含む可能性がある。よって、この「背景技術」の部分に開示されている内容は、該内容、又は、本発明の１つ又は複数の実施例が解決しようとする課題が本発明出願前に既に当業者に周知されていることを意味しない。
【発明の概要】
【発明が解決しようとする課題】
【０００４】
上述の問題に鑑み、本発明の目的は、表示装置を提供することにある。外部の光線が強い場所では、該表示装置の背光モジュールは、視覚が比較的狭く、且つ輝度が比較的高いタイプのライトを提供し、これにより、使用者は、表示装置に表示される映像をはっきり見ることができる。一方、室内又は外部の光線が比較的弱い場所では、該表示装置の背光モジュールは、視角が比較的広く、且つ輝度が比較的低いタイプのライトを提供し、これにより、使用者は、比較的広い視角範囲で、表示装置に表示される映像をはっきり見ることができる。
【０００５】
本発明の他の目的及び利点は、本発明に開示されている技術的特徴からさらに理解することができる。
【課題を解決するための手段】
【０００６】
上述の１つ又は一部又は全部の目的或いは他の目的を達成するために、本発明が提供する表示装置は、背光モジュール、切替型単軸拡散片及び表示パネルを含む。背光モジュールは、射出光を生成し、射出光は、第一タイプのライトを有し、第一タイプのライトは、第一方向上での第一視角範囲内で所定値以上の光強度を有する。切替型単軸拡散片は、背光モジュールに設置され、透明モードと拡散モードとの間で切り替えることができ、拡散モードは、第一方向上での拡散角度が他の方向上での拡散角度よりも大きい。表示パネルは、切替型単軸拡散片に設置される。背光モジュールが生成した射出光は、順に、切替型単軸拡散片及び表示パネルを通過して映像を形成し、切替型単軸拡散片が透明モードに切り替えられた時に、射出光は、切替型単軸拡散片を通過した後に第一タイプのライトを保持し、切替型単軸拡散片が拡散モードに切り替えられた時に、射出光は、切替型単軸拡散片を通過した後に拡散されて第二タイプのライトを形成し、第二タイプのライトは、第一方向上での第二視角範囲内で光線が所定値以上の光強度を有し、且つ第二視角範囲は第一視角範囲よりも大きい。
【０００７】
本発明の一実施例では、切替型単軸拡散片は、第一透明型導電層、第二透明導型電層及び高分子分散型液晶層を含む。高分子分散型液晶層は、第一透明型導電層と第二透明導型電層との間に位置する。高分子分散型液晶層は、高分子基材及び複数の液晶微粒子を有し、液晶微粒子は、高分子基材中に設けられ、各液晶微粒子は、楕円体であり且つ長軸を有し、長軸は、実質的に第一方向に平行である。そのうち、第一透明型導電層及び第二透明導型電層が電圧差を生成した時に、液晶微粒子中の液晶は、規則配列を呈し、これにより、高分子分散型液晶層は、透明モードになり、第一透明型導電層及び第二透明導型電層が電圧差を有しない時に、液晶微粒子中の液晶は、不規則配列を呈し、これにより、高分子分散型液晶層は、拡散モードになる。
【０００８】
本発明の一実施例では、本発明の表示装置は、さらに、半透過型視角フィルターを含み、半透過型視角フィルターは、背光モジュール、切替型単軸拡散片及び表示パネルの光路に設置され、半透過型視角フィルターの光透過率は、半透過型視角フィルターの法線方向に沿って第一方向へ逓減する。また、第三視角範囲内での光透過率は、所定値よりも大きく、第三視角範囲は、第一視角範囲よりも大きく且つ第二視角範囲よりも小さい。
【０００９】
本発明の一実施例では、上述の所定値は、40%〜60%にある。
【００１０】
本発明の一実施例では、半透過型視角フィルターは、第一偏光片、第二偏光片及び第一位相補償膜を含み、第一位相補償膜は、第一偏光片と第二偏光片との間に挟まれて設置され、第一偏光片は、第一透過軸を有し、第二偏光片は、第二透過軸を有し、第一透過軸は、第二透過軸に平行であり、第一位相補償膜は、第一液晶高分子層を有し、そのうち、第一液晶高分子層の液晶高分子は、第一光軸を有し、且つ第一光軸の第一偏光片及び第二偏光上での第一投影の軸方向は、第一透過軸及び第二透過軸に平行又は垂直であり、且つ第一投影の軸方向は、第一方向に垂直である。
【００１１】
本発明の一実施例では、半透過型視角フィルターは、さらに、第二位相補償膜及び第三偏光片を含み、第二位相補償膜は、第一偏光片と第三偏光片との間に位置し、第三偏光片は、第三透過軸を有し、第二位相補償膜は、第二液晶高分子層を有し、第二液晶高分子層の液晶分子は、第二光軸を有し、該第二光軸は、第二位相補償模の表面に垂直であり、第三透過軸は、第一透過軸及び第二透過軸に平行である。
【００１２】
本発明の一実施例では、半透過型視角フィルターは、さらに、第三位相補償膜及び第四偏光片を含み、第三位相補償膜は、第二偏光片と第四偏光片との間に位置し、第四偏光片は、第四透過軸を有し、第三位相補償膜は、第三液晶高分子層を有し、第三液晶高分子層の液晶分子は、第三光軸を有し、第三光軸の第二偏光片及び第四偏光片上での第三投影の軸方向は、第二透過軸及び第四透過軸に平行又は垂直であり、第四透過軸は、第一透過軸及び第二透過軸に平行であり、第一位相補償膜及び第三位相補償膜の位相遅延特性は、異なる。
【００１３】
本発明の一実施例では、半透過型視角フィルターは、第五偏光片、第六偏光片、半波長片及び第四位相補償膜を含み、第五偏光片は、第五透過軸を有し、第六偏光片は、第六透過軸を有し、半波長片及び第四位相補償膜は、第五偏光片と第六偏光片との間に挟まれて設置され、第四位相補償膜は、第四液晶高分子層を有し、第四液晶高分子層の液晶高分子は、第四光軸を有し、第四光軸は、第四位相補償模の表面に垂直であり、半波長片のS軸と第五透過軸との夾角は、22.5°±15°又は62.5°±15°であり、且つ第六透過軸と第五透過軸との夾角は、45°±15°又は125°±15°である。
【００１４】
本発明の一実施例では、半透過型視角フィルターは、さらに、第五位相補償膜を含み、半波長片は、第四位相補償膜と第五位相補償膜との間に設置され、第五位相補償膜は、第五液晶高分子層を有し、第五液晶高分子層の液晶高分子は、第五光軸を有し、第五光軸は、第五位相補償模の表面に垂直である。
【００１５】
本発明の一実施例では、半透過型視角フィルターは、第七偏光片、第八偏光片、第九偏光片、第六位相補償膜及び第七位相補償膜を含み、第七偏光片は、第七透過軸を有し、第八偏光片は、第八透過軸を有し、第九偏光片は、第九透過軸を有し、第六位相補償膜は、第七偏光片と第八偏光片との間に位置し、第七位相補償膜は、第八偏光片と第九偏光片との間に位置し、第六位相補償膜は、第六液晶高分子層を有し、第六液晶高分子層の液晶分子は、第六光軸を有し、第六光軸は、第六位相補償膜の表面に垂直であり、第七位相補償膜は、第七液晶高分子層を有し、第七液晶高分子層の液晶分子は、第七光軸を有し、第七光軸は、第七位相補償膜の表面に垂直であり、第七透過軸、第八透過軸及び第九透過軸は、平行であり、第六位相補償膜及び第七位相補償膜の位相遅延特性は、異なる。
【００１６】
本発明の一実施例では、半透過型視角フィルターは、切替型単軸拡散片と表示パネルとの間に設置される。
【００１７】
本発明の一実施例では、表示パネルは、半透過型視角フィルターと、切替型単軸拡散片との間に設置される。
【００１８】
本発明の一実施例では、半透過型視角フィルターは、複数の仕切り壁を含み、これらの仕切り壁は、第一方向に沿って配列され、且つこれらの仕切り壁のうちの２つの隣接する仕切り壁は、所定間隔を持って光通路を形成する。
【００１９】
本発明の一実施例では、仕切り壁は、グレーレジスト、染料又は顔料を含み、且つ仕切り壁の透光率は、10%〜60%にある。
【００２０】
本発明の表示装置は、集光タイプの背光モジュール及び切替型単軸拡散片を採用し、切替型単軸拡散片が透明モードと拡散モードとの間で切り替え可能な特性を利用することにより、背光モジュールの射出光の散乱（scattering）角度を調整することができる。そのため、外部の光線が強い時に、切替型単軸拡散片が透明モードに切り替えられ、射出光を、ある視角範囲内に集中させることで、比較的高い輝度を得ることができ、これにより、使用者は、対比明晰の映像を見ることができる。一方、外部光線が比較的弱い環境では、表示装置が高い輝度を要しないため、切替型単軸拡散片が拡散モードに切り替えられ、集光タイプの背光モジュールの射出光を拡散させることで、特定の視角範囲内での映像の輝度を下げ、明るくなりすぎることによる使用者への違和感を無くすことができることだけでなく、特定の視角範囲外での映像の輝度を上げ、視角範囲を拡大し、使用者がより広い視角範囲内で明晰な映像を見ることができるようにさせることもできる。これにより、本発明の表示装置は、光源を増設する必要がなく、光源駆動電流を増加させる必要もなく、切替型単軸拡散片を用いることにより、外部環境の光線の強弱に応じて表示装置の輝度を調整することができる。
【００２１】
また、本発明の表示装置は、さらに、半透過型視角フィルターを含み、それは、所定の視角範囲外で、輝度を所定値以下まで下げ、また、切替型単軸拡散片が透明モードと拡散モードとの間で切り替え可能な特性も利用することにより、切替型単軸拡散片が透明モードになる時に、該所定の視角範囲外で、輝度を不可視の状態に下げ、切替型単軸拡散片が拡散モードになる時に、輝度全体が比較的均一となるようにさせることができる。そのため、該所定の視角範囲外で、依然として可視な輝度を有し、これにより、本発明の表示装置は、覗き見防止効果を有し、また、覗き見防止モードと非覗き見防止モードとの間で切り替えることができる。
【００２２】
本発明の上述の特徴及び利点をより明らかにするために、以下、実施例を挙げ、添付した図面を参照することにより、詳細に説明する。
【図面の簡単な説明】
【００２３】
【図１】本発明の表示装置の一実施例の構造図である。
【図２】X-Z平面における図1に示す表示装置の切替型単軸拡散片が透明モードになる時の光路図である。
【図３Ａ】Y-Z平面における図1に示す表示装置の切替型単軸拡散片が拡散モードになる時の光路図である。
【図３Ｂ】X-Z平面における図1に示す表示装置の切替型単軸拡散片が拡散モードになる時の光路図である。
【図４】図1に示す表示装置の背光モジュールの構造図である。
【図５】図1に示す表示装置の切替型単軸拡散片の構造図である。
【図６Ａ】X-Z平面における図1に示す表示装置の切替型単軸拡散片が拡散モードになる時の光路図である。
【図６Ｂ】Y-Z平面における図1に示す表示装置の切替型単軸拡散片が拡散モードになる時の光路図である。
【図７Ａ】図1に示す表示装置の切替型単軸拡散片が透明モードになる時の構造図である。
【図７Ｂ】図1に示す表示装置の切替型単軸拡散片が透明モードになる時の構造図である。
【図８】本発明の表示装置の他の実施例の結構及び光路を示す図であり、そのうち、切替型単軸拡散片が透明モード下である。
【図９】図8に示す本発明の表示装置の結構及び光路を示す図であり、そのうち、可切替型単軸拡散片が拡散モード下である。
【図１０】図8に示す本発明の表示装置の半透過型視角フィルターの透過率及び透過光角度の関係曲線図である。
【図１１】図8に示す本発明の表示装置の半透過型視角フィルターの一実施例の構造図である。
【図１２】図8に示す本発明の表示装置の半透過型視角フィルターの他の実施例の構造図である。
【図１３】図8に示す本発明の表示装置の半透過型視角フィルターの他の実施例の構造図である。
【図１４】図8に示す本発明の表示装置の半透過型視角フィルターの他の実施例の構造図である。
【図１５】図8に示す本発明の表示装置の半透過型視角フィルターの他の実施例の構造図である。
【図１６】図8に示す本発明の表示装置の半透過型視角フィルターの他の実施例の構造図である。
【図１７】図8に示す本発明の表示装置の半透過型視角フィルターの他の実施例の構造図である。
【図１８】図8に示す本発明の表示装置の半透過型視角フィルターの他の実施例の構造図である。
【図１９】複数の半透過型仕切り壁を有する半透過型視角フィルターの構造図である。
【発明を実施するための形態】
【００２４】
本発明の上述した及び他の技術の内容、特徴、機能及び効果は、添付した図面に基づく次のような好適な実施例の詳細な説明により明確になる。なお、次の実施例に言及されている方向についての用語、例えば、上、下、左、右、前又は後などは、添付した図面の方向に過ぎない。よって、使用されている方向の用語は、本発明を説明するためだけのものであり、本発明を限定するためのものではない。
【００２５】
図1及び図2は、本発明の表示装置の一実施例を示す。図1は、Y-Z平面における本発明の表示装置を示し、図2は、X-Z平面における本発明の表示装置を示す。本発明の表示装置100は、背光モジュール10、切替型単軸拡散片20及び表示パネル30を含む。
【００２６】
図1、図2及び図4を同時に参照する。図4は、図1に示す表示装置の背光モジュールの構造図である。背光モジュール10は、射出光を生成し、それは、発光アセンブリ12、導光板14及び集光膜片16を含む。導光板14は、入光面及び出光面を有する。本実施例では、射出光は、平面光である。発光アセンブリ12は、導光板14の入光面に隣接して設置され、光線を生成する。集光膜片16は、導光板14に設置される。そのうち、発光アセンブリ12が生成した光線は、導光板14の入光面から導光板14に進入し、導光板14の案内により出光面から射出し、そして、集光膜片16を通過し、射出光を生成する。射出光は、第一タイプのライトを有し、第一タイプのライトは、第一方向(本実施例では、X方向は、上述の第一方向であり、後述の各図では、第一方向は、X軸方向に平行である)上での第一視角範囲θ1内で所定値以上の光強度を有する。本実施例では、発光アセンブリ12は、例えば、灯管（tube  lamp）又は発光ダイオードアレイであり、光線は、発光アセンブリ12により生成された後に、入光面を経由して導光板14に入射し、そして、導光板14により導光板14の出光面に案内されて射出する。そのうち、導光板14の底部は、複数の微細構造を有し、光線が導光板14中でこれらの微細構造に到着する時に、これらの微細構造は、光線を反射して所定の角度で集光膜片16に入射させることができる。集光膜片16には、複数の逆プリズム162が(図4に示すように)設けられ、光線は、逆プリズム162を通過した後に集光膜片16の正方向へ射出し、集光の効果を達することができる。本実施例では、上述の所定値は、射出光の輝度最大値の50%であるので、上述の第一タイプのライトは、第一視角範囲θ1内で背光モジュール10の射出光の輝度最大値の50%以上の値を有する。本実施例では、第一視角範囲θ1は、±20度であり、言い換えると、視角±20度の処で、光線の輝度は、背光モジュール10の射出光の輝度最大値の50%であある。背光モジュール10は、さらに、導光板14の下方に設けられる反射片18を含む。
【００２７】
切替型単軸拡散片20は、背光モジュール10に設置され、透明モードと拡散モードとの間で切り替えることができ、そのうち、拡散モードは、第一方向上での拡散角度が他の方向上での拡散角度よりも大きい。表示パネル30は、切替型単軸拡散片20に設置される。背光モジュール10が生成した射出光は、順に、切替型単軸拡散片20及び表示パネル30を通過して映像を形成する。図2は、X-Z平面における図1に示す表示装置の切替型単軸拡散片が透明モードになる時の光路図である。切替型単軸拡散片20が透明モードに切り替えられた時に、背光モジュール10の射出光は、切替型単軸拡散片20を通過した後に第一タイプのライトを保持し、また、第一視角範囲θ1内で上述の所定値以上の光強度を有する。
【００２８】
図3A及び図3Bを参照する。図3Aは、Y-Z平面における図1に示す表示装置の切替型単軸拡散片20が拡散モードになる時の光路図である。図3Bは、X-Z平面における図1に示す表示装置の切替型単軸拡散片20が拡散モードになる時の光路図である。切替型単軸拡散片20が拡散モードに切り替えられた時に、背光モジュール10の射出光は、切替型単軸拡散片20を通過した後に拡散されて第二タイプのライトを生成し、第二タイプのライトは、第一方向上での第二視角範囲θ2内で光線が所定値以上の強度を有し、そのうち、第二視角範囲θ2は、第一視角範囲θ1よりも大きく、即ち、背光モジュール10の射出光は、切替型単軸拡散片20が拡散モードに切り替えられた後に拡散された第二タイプのライトであり、その可視範囲は、背光モジュール10の射出光の、切替型単軸拡散片20が透明モードに切り替えられた後の第一タイプのライトの可視範囲よりも大きい。本実施例では、所定値は、射出光の輝度最大値の50%であるので、上述の第二タイプのライトは、第二視角範囲内で背光モジュール10の射出光の輝度最大値の50%以上の値を有する。
【００２９】
図3Aと図3Bの比較から分かるように、切替型単軸拡散片20が拡散モード下である時に、元の第一タイプのライトの視角範囲について各方向上でその角度を拡散し、そのうち、第一方向上での拡散角度は、他の方向上での拡散角度よりも大きい。実際の表示装置に応用される時に、第一方向上での視角範囲は、他の方向上での視角範囲よりも大きく、例えば、表示装置の左右方向上での視角範囲は、上下方向上での視角範囲よりも大きく、なぜなら、使用者が表示装置を使用する時に、左右方向上での視角範囲の使用者への影響が比較的重要であるが、上下方向の視角の使用者への影響が比較的小さいからである。本実施例では、背光モジュール10の射出光が拡散モード下での切替型単軸拡散片20を通過した後に拡散されるので、第二視角範囲θ2は、第一視角範囲θ1よりも大きくなり、言い換えると、切替型単軸拡散片20が拡散モードに切り替えられた時に、可視範囲が広くなるが、射出光が比較的広い視角範囲内で分布しているため、輝度は低下してしまう。よって、室内又は外部の光線が比較的弱い場所では、切替型単軸拡散片20が拡散モードになることにより、特定の視角範囲内での映像の輝度を下げ、明るくなりすぎることによる使用者への違和感を無くすことができ、また、特定の視角範囲外での映像の輝度を上げ、視角範囲を拡大することもできる。他の拡散片が各方向上での視角をほぼ均一に拡散することに比べ、本案は、切替型単軸拡散片により、第一方向上での拡散角度が他の方向上での拡散角度よりも大きくなるようにさせることで、他の方向上での光強度は、依然としてほぼ正面視角（center  view）の方向に集中する。よって、他の拡散片に比べ、本案の切替型単軸拡散片は、正面視角の方向上で比較的高い光強度を提供することができる。また、大部分の光線は、第一方向に散乱されるため、第一方向上で比較的高い光強度を有する。
【００３０】
図5は、図1に示す表示装置における切替型単軸拡散片の構造図である。切替型単軸拡散片20は、第一透明型導電層22、第二透明導型電層24及び高分子分散型液晶層26を含み、高分子分散型液晶層26は、第一透明型導電層22と第二透明導型電層24との間に位置する。切替型単軸拡散片20は、さらに、第一透明基板21及び第二透明基板23を含み、第一透明基板21は、第一透明型導電層22に設置され、第二透明基板23は、第二透明導型電層24に設置され、そのうち、高分子分散型液晶層26は、高分子基材262及び複数の液晶微粒子264を有し、液晶微粒子264は、高分子基材262中に設置され、各液晶微粒子264は、楕円体であり且つ長軸を有し、長軸は、第一方向に対応する。
【００３１】
図6A及び図6Bを参照する。図6Aは、X-Z平面における本発明の表示装置100の切替型単軸拡散片が拡散モードになる時の光路図を示し、図6Bは、Y-Z平面における本発明の表示装置100の切替型単軸拡散片が拡散モードになる時の光路図を示す。第一透明型導電層22及び第二透明導型電層24が電圧差を有しない時に、液晶微粒子264中での液晶は、不規則配列を呈し、これにより、高分子分散型液晶層26は、拡散モードになり、背光モジュール10の射出光は、高分子分散型液晶層26を通過した後に拡散されて上述の第二タイプのライトを生成することができる。本実施例では、液晶微粒子264が楕円体であるため、光線は、液晶微粒子264を通過する時に、その長軸方向上での散乱角度が他の方向上での散乱角度よりも大きく、また、液晶微粒子264の長軸が第一方向に平行である(図6AにおけるX軸に平行である)ため、光線は、第一方向上での拡散角度が他の方向上での拡散角度よりも大きい。
【００３２】
図7A及び図7Bを参照する。図7Aは、X-Z平面における本発明の表示装置100の切替型単軸拡散片が透明モードになる時の光路図であり、図7Bは、Y-Z平面における本発明の表示装置100の切替型単軸拡散片が透明モードになる時の光路図である。第一透明型導電層22及び第二透明導型電層24が電圧差を生成した時に、液晶微粒子264中での液晶は、規則配列を呈し、これにより、高分子分散型液晶層26は、透明モードになり、背光モジュール10の射出光は、高分子分散型液晶層26を通過した後に拡散されず、射出光の第一タイプのライトを保持することができる。
【００３３】
本発明の表示装置100は、切替型単軸拡散片20を設置することで、外部の光線が強い環境で、背光モジュール10の射出光を比較的狭い範囲内に集中させ、この範囲内の輝度値を上げることができ、これにより、使用者は、表示装置100に表示される映像を見ることができる。一方、外部の光線が比較的弱い環境では、背光モジュール10の射出光は、特定方向上で比較的広い視角範囲内で比較的均一に分布することができ、これにより、使用者は、比較的広い視角範囲内で映像を見ることができる。大部分の光線が特定方向のみ散乱されるので、この特定方向上で比較的高い輝度値を有する。そのうち、切替型単軸拡散片は、第一方向上での拡散角度が他の方向上での拡散角度よりも大きくなるようにさせることで、他の方向上での光強度が依然として正面視角の方向にほぼ集中するようにさせることができるので、他の拡散片に比べ、本案の切替型単軸拡散片は、正面視角の方向上で比較的高い光強度を提供することができる。
【００３４】
本発明の切替型単軸拡散片20は、外部の光線の強弱に応じて射出光の視角範囲を切り替えることができるとともに、表示装置が覗き見防止機能を有するようにさせることもできる。
【００３５】
図8及び図9は、本発明の表示装置の他の実施例を示す。本発明の表示装置100’の構造は、表示装置100とほぼ同じであるため、同じ素子に同じ符号を付け、また、その説明も省略する。本実施例の表示装置100’は、背光モジュール10、切替型単軸拡散片20及び表示パネル30の他に、さらに、半透過型視角フィルター40を含み、半透過型視角フィルター40は、背光モジュール10、切替型単軸拡散片20及び表示パネル30の光路に設置され、例えば、半透過型視角フィルター40は、切替型単軸拡散片20と表示パネル30との間に設置されても良く、又は、半透過型視角フィルター40は、表示パネル30に設置されても良い。半透過型視角フィルター40の光透過率は、半透過型視角フィルター40の法線方向にそって第一方向へ逓減し、且つ第三視角範囲θ3内での光透過率は、所定値よりも大きく、そのうち、該所定値は、40%〜60%にある。第三視角範囲θ3は、第一視角範囲θ1よりも大きく、且つ第二視角範囲θ2よりも小さい(図2を同時に参照する)。図8に示すように、切替型単軸拡散片20が透明モードに切り替えられた時に、切替型単軸拡散片20を通過した光線が半透過型視角フィルター40を通過する時に、半透過型視角フィルター40が各角度上で異なる光透過率を有するため、その異なる角度で射出する光の強度を下げることができ、そのうち、第三視角範囲θ3外での光線の光強度が所定閾値よりも小さいので、不可視と定義され得る。図9に示すように、切替型単軸拡散片20が拡散モードに切り替えられた時に、切替型単軸拡散片20を通過した光線が半透過型視角フィルター40を通過する時に、半透過型視角フィルター4が各角度上で異なる光透過率を有するため、その異なる角度で射出する光の強度を下げることができ、そのうち、第二視角範囲θ2内での光線の光強度が所定閾値よりも高いので、可視と定義され得る。
【００３６】
一般的に言えば、表示器の覗き見防止角度の定義とは、環境の照度が300〜750Lux(例えば、普通のオフィスや会議室の照度)である場合、覗き見防止角度の輝度(nits)/正面視角の輝度(nits)が1.5%以下である時に、この覗き見防止角度で人が表示器の映像内容をはっきり見ることができないことを指し、即ち、この点義は不可視である。一方、人が、覗き見防止角度の輝度(nits)/正面視角の輝度(nits)が1.5%よりも大きい時に表示器の映像内容をはっきり見ることができるなら、この定義は可視である。しかし、他のより厳しい不可視の定義では、覗き見防止角度の定義は、輝度(nits)/正面視角の輝度(nits)が1%又は0.8%以下である角度である。よって、覗き見防止角度の定義は、ニーズに応じて設定することができ、多くの場合は、45度を覗き見防止角度と設定するが、30度を覗き見防止角度と設定する場合もある。そのうち、正面視角の定義は、0度又は0度に近く且つ輝度が最高の角度である。前述の測量は、コノスコープ（Conoscope）という計器により行うことができ、又は、BM7やPR650などの計器と回転アームとの組み合わせにより行うこともできる。
【００３７】
図10は、本実施例の半透過型視角フィルター40が±45度角の範囲外でその光の透過率が50%以下まで下がることを示す。本実施例では、第三視角範囲θ3は、±45度であり、光の透過率は、50%である。背光モジュール10の射出光は、第一タイプのライトであり、前述のように、第一タイプのライトは、第一視角範囲θ1(±20度角)内で、射出光の輝度最大値の50%より大きい輝度値を有し、即ち、第一視角範囲θ1(±20度角)外での輝度値は、射出光の輝度最大値の50%以下である。よって、切替型単軸拡散片20が透明モードに切り替えられた時に、背光モジュール10の射出光は、切替型単軸拡散片20を通過した後に第一タイプのライトを保持し、第一タイプのライトの光線が半透過型視角フィルター40を通過した後に、第三視角範囲θ3(±45度角)外での光線の透過率が50%以下まで下がるため、第三視角範囲θ3は、第一視角範囲θ1よりも大きい。よって、第一タイプのライトの光線が半透過型視角フィルター40を通過した後に、第三視角範囲θ3外での光の輝度値が不可視の状態にあるので、覗き見防止の効果を達することができる。切替型単軸拡散片20が拡散モードに切り替えられた時に、切替型単軸拡散片20を通過した光線の輝度値は、拡散により、第二視角範囲θ2内での輝度が比較的均一になり、第二視角範囲θ2は、第三視角範囲θ3よりも大きく、拡散後の光は、半透過型視角フィルター40を通過した後に、第三視角範囲θ3外での光線の透過率が50%以下まで下げても、半透過型視角フィルター40を通過した後の光線は、依然として十分に高い輝度を有し、これにより、映像は可視になる。よって、切替型単軸拡散片20が透明モードと拡散モードとの間で切り替えることにより、表示装置100’が覗き見防止モードと非覗き見防止モードとの間で切り替えるようにさせることができる。以下、半透過型視角フィルター40の構造について説明する。
【００３８】
図11及び図12は、本発明の表示装置の半透過型視角フィルターの実施例を示す。図11は、半透過型視角フィルター40が切替型単軸拡散片20と表示パネル30との間に設置される様子を示し、図12は、半透過型視角フィルター40が表示パネル30の上に設置され、即ち、表示パネル30が半透過型視角フィルター40と切替型単軸拡散片20との間に設置される様子を示す。本発明の半透過型視角フィルター40は、第一偏光片42、第二偏光片46及び第一位相補償膜44を含み、第一位相補償膜44は、第一偏光片42と第二偏光片46との間に位置し、第一偏光片42は、第一透過軸L42を有し、第二偏光片46は、第二透過軸L46を有し、第一透過軸L42は、第二透過軸L46に平行であり、第一位相補償膜44は、第一液晶高分子層を有する。第一液晶高分子層の液晶高分子は、第一光軸を有し、且つ第一光軸は、第一偏光片42及び第二偏光片46に対して傾斜配列される。しかしながら、第一光軸の第一偏光片42及び第二偏光46上での第一投影は、第一透過軸L42及び第二透過軸L46に平行又は垂直であり、且つ上述の第一投影は、上述の第一方向に垂直である。よって、第一偏光片42及び第一位相補償膜44を通過した光線は、第一方向上で位相遅延を生成し、且つ入射角が大きいほど、位相遅延量が大きく、第二偏光片46により吸収される光線が多く、これにより、第一方向上での±45度の範囲外での光線の透過率は、50%以下まで下げることができる。表示パネル30の上下には偏光片34及び偏光片32がそれぞれ設置され、偏光片32は、透過軸L32を有し、偏光片34は、透過軸L34を有し、透過軸L32は、透過軸L34に垂直である。図11に示す構造では、偏光片32の透過軸L32は、第二偏光片46の透過軸L46に平行である。図12に示す構造では、偏光片34の透過軸L34は、第一偏光片42の透過軸L42に平行であり、即ち、半透過型視角フィルター40と、表示パネル30に隣接する偏光片の透過軸とは、必ず平行に設置される必要があり、重なり合うように設置される２つの偏光片の透過軸の方向が同じであれば、その効果は、該方向を有する１つの透過軸の偏光片に相当するので、図11に示す構造では、第二偏光片46は省略されても良く、また、図12に示す構造では、第一偏光片42も省略されても良い。
【００３９】
図13及び図14は、本発明の表示装置の半透過型視角フィルターの他の実施例を示す。図13は、半透過型視角フィルター40’が切替型単軸拡散片20と表示パネル30との間に設置される様子を示し、図14は、半透過型視角フィルター40’が表示パネル30の上に設置され、即ち、表示パネル30が半透過型視角フィルター40’と切替型単軸拡散片20との間に設置される様子を示す。本実施例の半透過型視角フィルター40’の構造は、図11及び図12に示す半透過型視角フィルター40の構造とほぼ同じであるので、同じ素子に同じ符号を付け、また、その説明も省略する。本実施例の半透過型視角フィルター40’の構造と、図12及び図13に示す半透過型視角フィルター40の構造との相違点は、本実施例の半透過型視角フィルター40’は、第一偏光片42、第二偏光片46及び第一位相補償膜44の他に、第二位相補償膜43、第三偏光片41及び偏光片45をさらに含むことにある。第二位相補償膜43、第一偏光片42と第三偏光片41との間に位置し、第三偏光片41は、第三透過軸L41を有し、第二位相補償膜43は、第二液晶高分子層を有し、第二液晶高分子層の液晶分子は、第二光軸を有し、且つ第二光軸は、第二位相補償模43の表面に垂直であり、第三透過軸L41は、第一透過軸L42及び第二透過軸L46に平行である。本実施例では、第二位相補償膜43は、第三偏光片41と偏光片45との間に設置され、第三偏光片41の第三透過軸L41は、偏光片45の透過軸L45に平行であり、且つ第三透過軸L41は、第一透過軸L42及び第二透過軸L46に平行であり、第二位相補償膜43は、第一方向と45度、135度、225度及び315度を成す方向上で、光線の±45度の範囲外での透過率を50%以下に下げることができ、これにより、光線は、第一位相補償膜44及び第二位相補償膜43を通過した後に、それぞれ、第一方向及び第一方向と45度、135度、225度及び315度を成す方向上で位相遅延を生成し、これにより、第一方向及び第一方向と45度、135度、225度及び315度を成す方向上での±45度の範囲外での光線の透過率を50%以下まで下げることができる。また、図13及び図14に示す構造では、第一偏光片42の第一透過軸L42と偏光片45の透過軸L45とは平行であるため、第一偏光片42又は偏光片45を省略しても良い。
【００４０】
他の実施例では、半透過型視角フィルターは、さらに、第三位相補償膜及び第四偏光片を含み、即ち、図13及び図14における第二位相補償膜43及び第三偏光片41は、第三位相補償膜及び第四偏光片により置換され、また、構造が同じであるため、ここでは、その図示を省略する。第三位相補償膜は、第一偏光片と第四偏光片との間に位置し、第四偏光片は、第四透過軸を有し、第三位相補償膜は、第三液晶高分子層を有し、第三液晶高分子層の液晶分子は、第三光軸を有し、且つ第三光軸の第二偏光片及び第四偏光上での投影は、第二透過軸及び第四透過軸に平行又は垂直であり、第四透過軸は、第一透過軸及び第二透過軸に平行し、第一位相補償膜44及び第三位相補償膜の位相遅延特性は、異なる。本実施例と図13及図14の実施例との相違点は、第三位相補償膜の構造が第一位相補償膜44の構造に類似し、液晶分子の光軸が全て傾斜状であるが、その液晶高分子層の液晶ポリマーの特性が異なることにある。位相遅延量が液晶ポリマーの屈折率の屈折率差及び厚みの積により決定されるため、屈折率差及び厚みの積が異なれば、位相遅延量も異なる。また、本実施例では、液晶分子の光軸が全て傾斜状であるため、液晶分子の光軸方向も位相遅延量に影響し得るので、第一位相補償膜44及び第三位相補償膜は、異なる特性の液晶ポリマーを設置することにより、異なる位相遅延量を達成することができ、これにより、第一方向上での±45度の範囲外での光線の透過率を50%以下まで下げることができる。
【００４１】
図15及図16は、本発明の表示装置の半透過型視角フィルターの他の実施例を示す。図15は、半透過型視角フィルター50が切替型単軸拡散片20と表示パネル30との間に設置される様子を示し、図16は、半透過型視角フィルター50が表示パネル30の上に設置され、即ち、表示パネル30が半透過型視角フィルター50と切替型単軸拡散片20との間に設置される様子を示す。本実施例の半透過型視角フィルター50は、第五偏光片52、第六偏光片56、半波長片51及び第四位相補償膜55を含む。第五偏光片52は、第五透過軸L52を有し、第六偏光片56は、第六透過軸L56を有し、半波長片51及び第四位相補償膜55は、第五偏光片52と第六偏光片56との間に位置し、第四位相補償膜55は、第四液晶高分子層を有し、第四液晶高分子層の液晶高分子は、第四光軸を有し、且つ第四光軸は、第四位相補償模55の表面に垂直であり、半波長片51のS軸L51と第五透過軸L52との夾角は、22.5°±15°又は62.5°±15°であり、且つ第六透過軸L56と第五透過軸L52との夾角は、45°±15°又は125°±15°である。第四位相補償膜55は、第一方向と45度、135度、225度及び315度を成す方向上で、光線の±45度の範囲外での透過率を50%以下にさせることができるので、半波長片51と合わせて位相遅延を生成することにより、透過率が50%以下の光線の方向が第一方向に戻るようにさせることができる。第四位相補償膜55と半波長片51との間には、偏光片54が設置されても良く、偏光片54の透過軸L54は、第六偏光片56の第六透過軸L56に平行であり、図15の構造では、第六偏光片56の第六透過軸L56は、偏光片32の透過軸L32に平行であるので、第六偏光片56及び偏光片32のうちの１つを省略しても良い。図16の構造では、第五偏光片52（図示せず）の第五透過軸L52（図示せず）は、表示パネル30の偏光片34の透過軸L34に平行であるので、第五偏光片52も省略しても良い。
【００４２】
図17及び図18は、本発明の表示装置の半透過型視角フィルターの他の実施例を示す。図17は、半透過型視角フィルター60が切替型単軸拡散片20と表示パネル30との間に設置される様子を示し、図18は、半透過型視角フィルター60が表示パネル30の上に設置され、即ち、表示パネル30が半透過型視角フィルター60と切替型単軸拡散片20との間に設置される様子を示す。本実施例の半透過型視角フィルター60の構造は、図15及図16に示す半透過型視角フィルター40の構造とほぼ同じであるため、同じ素子に同じ符号を付け、また、その説明も省略する。本実施例では、半透過型視角フィルター60は、偏光片54、第六偏光片56、半波長片51及び第四位相補償膜55の他に、さらに、第五位相補償膜62を含み、半波長片51は、第四位相補償膜55と第五位相補償膜62との間に設置され、第五位相補償膜62は、第五液晶高分子層を有し、第五液晶高分子層の液晶高分子は、第五光軸を有し、且つ第五光軸は、第五位相補償模62の表面に垂直である。半透過型視角フィルター60は、さらに、偏光片64及び偏光片66を含み、偏光片64の透過軸L64は、偏光片66の透過軸L66に平行であり、図18の構造では、偏光片64の透過軸L64は、表示パネル30の偏光片34の透過軸L34に平行であるので、偏光片64を省略しても良い。
【００４３】
他の実施例では、半透過型視角フィルターは、第七偏光片、第八偏光片、第九偏光片、第六位相補償膜及び第七位相補償膜を含み、その配置方式及構造は、図13及び図14と同じであるため、その図式を省略し、第七偏光片は、第七透過軸を有し、第八偏光片は、第八透過軸を有し、第九偏光片は、第九透過軸を有し、第六位相補償膜は、第七偏光片と第八偏光片との間に位置し、第七位相補償膜は、第八偏光片と第九偏光片との間に位置し、第六位相補償膜は、第六液晶高分子層を有し、第六液晶高分子層の液晶分子は、第六光軸を有し、且つ第六光軸は、第六位相補償膜の表面に垂直であり、第七位相補償膜は、第七液晶高分子層を有し、第七液晶高分子層の液晶分子は、第七光軸を有し、且つ第七光軸は、第七位相補償膜の表面に垂直であり、第七透過軸、第八透過軸及び第九透過軸は、平行であり、且つ第一方向との夾角は、45°±15°又は125°±15°であり、第六位相補償膜及び第七位相補償膜の位相遅延特性は、異なる。図13及び図14の実施例の相違点は、第六位相補償膜の液晶分子の光軸及び第七位相補償膜の液晶分子の光軸が全て垂直に設置されることにあり、前述のように、位相遅延量が液晶ポリマーの屈折率の屈折率差及び厚みの積により決定されるため、屈折率差及び厚みの積が異なれば、位相遅延量も異なるので、第六位相補償膜及び第七位相補償膜は、異なる特性の液晶ポリマーを設置することにより、異なる位相遅延量を達成することができ、これにより、第一方向上での±45度の範囲外での光線の透過率を50%以下まで下げることができる。
【００４４】
図19は、複数の半透過型仕切り壁を有する半透過型視角フィルターの構造図である。一実施例では、半透過型視角フィルター70は、複数の仕切り壁71を含み、これらの仕切り壁71は、該第一方向に沿って配列され、且つこれらの仕切り壁71のうちの２つの隣接する仕切り壁71は、所定間隔dを有することで、光通路を形成する。仕切り壁71は、グレーレジストを含んでも良く、又は、染料又は顔料を使用しても良く、これにより、仕切り壁71の透光率は、10%〜60%にあり、好ましくは、40%〜50%にあり、より好ましくは、50%であるようにさせることができる。これにより、第一方向上での±45度の範囲外での光線の透過率を50%以下まで下げることができる。
【００４５】
半透過型視角フィルター40、40’、50、60及び70を設置し、また、切替型単軸拡散片20が透明モードと拡散モードとの間で切り替えることにより、本発明の表示装置100’は、覗き見防止モードと非覗き見防止モードとの間で切り替えることができる。
【００４６】
本発明の表示装置100は、集光タイプの背光モジュール10、及び、切替型単軸拡散片20が透明モードと拡散モードとの間で切り替え可能な特性を利用することにより、外部の光線が強い時に、切替型単軸拡散片20が透明モードに切り替えられることで、射出光を、ある視角範囲内に集中させ、比較的高い輝度を得ることができ、これにより、使用者は、対比明晰の映像を見ることができ、一方、外部の光線が比較的弱い環境では、表示装置100が高い輝度を要しないため、切替型単軸拡散片20が拡散モードに切り替えら得ることで、射出光の視角範囲を拡大し、輝度を下げるが、依然として明晰の映像を見ることができる。これにより、本発明の表示装置100は、光源を増設する必要がなく、光源駆動電流を増加させる必要もなく、切替型単軸拡散片20を用いることにより、外部環境の光線の強弱に応じて表示装置100の輝度を調整することができる。
【００４７】
また、本発明の表示装置100は、さらに、半透過型視角フィルター40を含み、それは、所定の視角範囲外で、輝度を所定値以下まで下げ、また、切替型単軸拡散片20が透明モードと拡散モードとの間で切り替え可能な特性も利用することにより、表示装置100’は、覗き見防止の功能を有し、また、覗き見防止モードと非覗き見防止モードとの間で切り替えることができる。
【００４８】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の一部と発明の名称は、文献の検索を助けるためのみのものであり、本発明の権利範囲を限定するものでない。また、本明細書又は特許請求の範囲に言及されている「第一」、「第二」などの用語は、要素（element）に名前を付け、又は、異なる実施例又は範囲を区別するためのもののみであり、要素の数量上の上限又は下限を限定するためのものでない。
【符号の説明】
【００４９】
10：背光モジュール
12：発光アセンブリ
14：導光板
16：集光膜片
18：反射片
20：切替型単軸拡散片
21：第一透明基板
22：第一透明型導電層
23：第二透明基板
24：第二透明導型電層
26：高分子分散型液晶層
30：表示パネル
32：偏光片
34：偏光片
40、40’：半透過型視角フィルター
41：第三偏光片
42：第一偏光片
43：第二位相補償膜
44：第一位相補償膜
45：偏光片
46：第二偏光片
50：半透過型視角フィルター
51：半波長片
52：第五偏光片
54：偏光片
55：第四位相補償膜
56：第六偏光片
60：半透過型視角フィルター
62：第五位相補償膜
64：偏光片
66：偏光片
70：半透過型視角フィルター
71：仕切り壁
100、100’：表示装置
162：逆プリズム
262：高分子基材
264：液晶微粒子
L32：透過軸
L34：透過軸
L41：第三透過軸
L42：第一透過軸
L45：透過軸
L46：第二透過軸
L51：S軸
L52：第五透過軸
L54：透過軸
L56：第六透過軸
L64：透過軸
L66：透過軸
θ1：第一視角範囲
θ2：第二視角範囲
θ3：第三視角範囲
d：間隔
X：X軸
Y：Y軸
Z：Z軸
【図１】
2018109756.tif 000003
【図２】
2018109756.tif 000004
【図３Ａ】
2018109756.tif 000005
【図３Ｂ】
2018109756.tif 000006
【図４】
2018109756.tif 000007
【図５】
2018109756.tif 000008
【図６Ａ】
2018109756.tif 000009
【図６Ｂ】
2018109756.tif 000010
【図７Ａ】
2018109756.tif 000011
【図７Ｂ】
2018109756.tif 000012
【図８】
2018109756.tif 000013
【図９】
2018109756.tif 000014
【図１０】
2018109756.tif 000015
【図１１】
2018109756.tif 000016
【図１２】
2018109756.tif 000017
【図１３】
2018109756.tif 000018
【図１４】
2018109756.tif 000019
【図１５】
2018109756.tif 000020
【図１６】
2018109756.tif 000021
【図１７】
2018109756.tif 000022
【図１８】
2018109756.tif 000023
【図１９】
2018109756.tif 000024